【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
放送コンテンツの利用可能性を決定するための方法であって、
番組の放送表示に対するユーザ選択を受信することであって、前記番組の放送コンテンツは多数の関連基準を有することと、
モニタリング特性を決定するために、前記ユーザ選択及び前記関連基準を分析することと、
前記ユーザが選択した番組の変更を検出するために前記モニタリング特性に基づいて放送番組データフローをモニタすることと、
任意の変更の検出と同時に、前記ユーザが選択した番組の放送に影響を及ぼす情報を更新することと
を含む、方法。
【請求項２】
前記モニタされる変更が、番組スケジュール及び／又はコンテンツの変更を含む、請求項１に記載の方法。
【請求項３】
ユーザには、いかなる更新又は変更についても前記ユーザに通知する警告が送信される、請求項２に記載の方法。
【請求項４】
前記モニタリング特性が、以前のユーザ選択を分析することによって提供される、請求項１に記載の方法。
【請求項５】
前記ユーザモニタリング特性が、放送コンテンツのユーザ選択を分析することによって提供される、請求項１に記載の方法。
【請求項６】
前記モニタリングステップが、ストリーミングコンテンツを分析することによって実行される、請求項１に記載の方法。
【請求項７】
前記検出された変更が、多数の今後の関連番組に影響を及ぼし、前記多数の関連番組がすべて修正される、請求項１に記載の方法。
【請求項８】
修正された関連番組の各々に対して異なる警告が送信される、請求項３に記載の方法。
【請求項９】
修正された関連番組のすべてに対して単一の警告が送信される、請求項８に記載の方法。
【請求項１０】
番組の放送表示に対するユーザ選択に応答してデバイスを起動するように構成された制御モジュールであって、前記番組の放送コンテンツが、多数の関連基準を有する、制御モジュールと、
前記ユーザ選択及び関連基準に関連するモニタリング特性を決定するための分析モジュールと、
前記選択されたユーザ番組の変更を検出するために、前記モニタリング特性に基づいて番組データフローをモニタするための追跡モジュールと
を含み、
前記制御モジュールが、前記ユーザが選択した番組が修正された際に前記ユーザが選択した番組についての情報を更新するようにも構成される、デバイス。
【請求項１１】
前記制御モジュールが、変更をモニタする際に番組スケジュール及び／又はコンテンツの変更を検出するように構成される、請求項１０に記載のデバイス。
【請求項１２】
ユーザには、何らかの更新又は変更について前記ユーザに通知する警告が送信される、請求項１１に記載のデバイス。
【請求項１３】
前記放送表示が、今後の録画である、請求項１０に記載のデバイス。
【請求項１４】
前記モニタリング特性が、以前のユーザ選択を分析することによって提供される、請求項１０に記載のデバイス。
【請求項１５】
前記ユーザモニタリング特性が、放送コンテンツのユーザ選択を分析することによって提供される、請求項１４に記載のデバイス。
【請求項１６】
前記ユーザ選択及び関連基準を分析することが、電子番組ガイド（ＥＰＧ）を調べることによって行われる、請求項１０に記載のデバイス。
【請求項１７】
前記ユーザ選択基準を分析することが、インタラクティブ番組ガイド（ＩＰＧ）を調べることによって行われる、請求項１０に記載のデバイス。
【請求項１８】
修正された関連番組のすべてに対して単一の警告が送信される、請求項１０に記載のデバイス。
【請求項１９】
前記モニタされる変更が、番組スケジュール及び／又はコンテンツの変更を含む、請求項１０に記載のデバイス。
【請求項２０】
プログラマブル装置用のコンピュータプログラム製品であって、
番組の放送表示に対するユーザ選択を受信することであって、前記番組の放送コンテンツは多数の関連基準を有することと、
モニタリング特性を決定するために、前記ユーザ選択及び前記関連基準を分析することと、
前記ユーザが選択した番組の変更を検出するために前記モニタリング特性に基づいて放送番組データフローをモニタすることと、
任意の変更の検出と同時に、前記ユーザが選択した番組の放送に影響を及ぼす情報を更新することと
を含むステップに従って方法を実装するための命令のシーケンスを含む、コンピュータプログラム製品。
【手続補正２】
【補正対象書類名】明細書
【補正対象項目名】００３４
【補正方法】変更
【補正の内容】
【００３４】
多くの実装形態について説明してきた。それにもかかわらず、様々な変更を行えることが理解されよう。例えば、他の実装形態を生成するために、異なる実装形態の要素を組み合わせることも、補足することも、変更することも、除去することもできる。それに加えて、当業者は、開示されるものの代わりに、他の構造及びプロセスを代用することができ、結果として得られる実装形態は、開示される実装形態と少なくとも実質的に同じ結果を達成するために、少なくとも実質的に同じ方法で、少なくとも実質的に同じ機能を実行することを理解するであろう。それに従って、これらの及び他の実装形態は、この開示によって企図され、この開示の範囲内である。
［付記１］
方法であって、
番組伝送のユーザ選択を受信すること（３１０）であって、前記番組伝送のコンテンツが、多数の関連基準を有する、受信すること（３１０）と、
モニタリング特性を決定するために、前記ユーザ選択及び前記関連基準を分析すること（３２０）と、
前記モニタリング特性に基づいてコンテンツをモニタし（３３０）、前記ユーザが選択した番組伝送の変更が検出された際に、ユーザ警告を作成して送信することと
を含む、方法。
［付記２］
番組伝送の変更に影響を及ぼす情報を更新し（３４０）、いかなる更新についても前記ユーザに通知する警告を前記ユーザに送信することをさらに含む、付記１に記載の方法。
［付記３］
デバイスであって、
番組伝送の表示に対するユーザ選択に応答してデバイスを起動するように構成された制御モジュール（６１６）であって、前記番組伝送のコンテンツが、多数の関連基準を有する、制御モジュール（６１６）と、
前記ユーザ選択及び関連基準に関連するモニタリング特性を決定するための分析モジュール（６１４）と、
前記選択されたユーザ番組伝送の変更を検出するために、前記モニタリング特性に基づいて番組データフローをモニタし、変更が検出された際にユーザ警告を作成するための追跡モジュール（６１０）と
を含む、デバイス。
［付記４］
前記制御モジュールが、番組伝送の変更に影響を及ぼす情報を更新し（３４０）、いかなる更新についても前記ユーザに通知する警告を前記ユーザに送信するようにさらに構成される、付記３に記載の方法。
［付記５］
前記コンテンツが、今後の伝送録画である、付記１若しくは２に記載の方法又は付記３若しくは４に記載のデバイス。
［付記６］
前記モニタリング特性が、以前のユーザ選択を分析することによって提供される、付記１、２若しくは５に記載の方法又は付記３〜５のいずれか一つに記載のデバイス。
［付記７］
前記ユーザモニタリング特性が、放送コンテンツのユーザ選択を分析することによって提供される、付記１、２、５若しくは６に記載の方法又は付記３〜６のいずれか一つに記載のデバイス。
［付記８］
前記ユーザ選択及び関連基準を分析することが、電子番組ガイド（ＥＰＧ）を調べることによって行われる、付記１、２、若しくは５〜７のいずれか一つに記載の方法又は付記３〜７のいずれか一つに記載のデバイス。
［付記９］
前記ユーザ選択基準を分析することが、インタラクティブ番組ガイド（ＩＰＧ）を調べることによって行われる、付記１、２、若しくは５〜８のいずれか一つに記載の方法又は付記３〜８のいずれか一つに記載のデバイス。
［付記１０］
前記モニタリングステップが、ストリーミングコンテンツを分析することによって実行される、付記１、２、若しくは５〜９のいずれか一つに記載の方法。
［付記１１］
前記検出された変更が、多数の今後の関連番組に影響を及ぼし、前記多数の関連番組がすべて修正される、付記１、２、若しくは５〜１０のいずれか一つに記載の方法。
［付記１２］
修正された関連番組の各々に対して異なる警告が送信される、付記１、２、若しくは５〜１１のいずれか一つに記載の方法又は付記３〜９のいずれか一つに記載のデバイス。
［付記１３］
修正された関連番組のすべてに対して単一の警告が送信される、付記１、２、若しくは５〜１２のいずれか一つに記載の方法又は付記３〜９若しくは１２のいずれか一つに記載のデバイス。
［付記１４］
前記修正が、単に最初の放送番組伝送と併せてのみ行われ、前記警告が、単に最初の放送番組伝送に対してのみ生成される、付記１２又は１３に記載の方法又はデバイス。
［付記１５］
プログラマブル装置用のコンピュータプログラム製品であって、前記プログラマブル装置にロードされ、前記プログラマブル装置によって実行されると、付記１、２、又は５〜１４のいずれか一つに記載の方法を実装するための命令のシーケンスを含む、コンピュータプログラム製品。